(57)【要約】【課題】  通孔の詰まりや弁座からの水の漏洩を防止できる排気弁を提供する。【解決手段】  本体１と蓋２から成るケーシングで下部に流入口４が開口し上部に流出口５が開口した弁室３を形成する。弁室３と流出口５の間に弁座６を形成する。本体１は弁室３内壁に内側に突出した複数のリブ９を一体に有し、リブ９の内側に有底のほぼ円筒形状で底部に小さな開口面積の通孔１１を有するフロート受け１０を固定する。通孔１１の外周にスクリーン１５を取り付ける。フロート受け１０の上端にスクリーン７を取り付ける。フロート受け１０内に球形のフロート１２を自由状態で配する。  通孔１１を通過する流体はスクリーン１５で異物が漉し取られ、また、弁座６へ向かう流体はスクリーン７で異物が漉し取られる。【選択図】図１
2012167803.tif 000002
【特許請求の範囲】
【請求項１】
ケーシングで下部に流入口が開口し上部に流出口が開口した弁室を形成し、弁室と流出口の間に弁座を形成し、弁室内壁の内側に突出したリブを形成し、リブの内側に有底のほぼ円筒形状で底部に小さな開口面積を有する通孔を設けたフロート受けを固定し、フロート受け内に球状のフロートを自由状態で配置したものにおいて、弁座の周囲と通孔の周囲に、流体中の異物を漉し取るスクリーンを取り付けたことを特徴とする排気弁。
【発明の詳細な説明】
【技術分野】
【０００１】
本発明は、配管に水を送り込むときに開弁して配管内の空気を排気し、排気が終われば閉弁し、また配管系の圧力が低下して真空状態となったときに開弁して外部空気を導入することにより真空状態を破壊する排気弁に関する。
【背景技術】
【０００２】
従来の排気弁は、例えば特許文献１に開示されている。これは、ケーシングで下部に流入口が開口し上部に流出口が開口した弁室を形成し、弁室と流出口の間に弁座を形成し、弁室内壁に内側に突出したリブを形成し、リブの内側に有底のほぼ円筒形状で底部に小さな開口面積を有する通孔を設けたフロート受けを固定し、フロート受け内にフロートを自由状態で配したものである。この排気弁は、先ず配管に水を送り込むときにはフロートが弁座から離座して降下した開弁状態であり、流入口から弁室内に流入してくる配管内の空気をリブの間の空間からフロート受け上端を通して及び通孔からフロート受け内を通して流出口に排気する。そして排気が終わって配管内の水が流入口から弁室内に流入してくると、リブの間の空間からフロート受け上端を通して及び通孔を通してフロート受け内に流入する水によってフロートが浮上して弁座に着座し閉弁する。また配管系の圧力が低下して真空状態となったときにはフロートが弁座から離座して降下し、流出口から弁室内に流入してくる外部空気をフロート受け内から通孔を通して及びフロート受け上端からリブの間の空間を通して流入口から配管内に導入することにより真空状態を破壊する。
【先行技術文献】
【特許文献】
【０００３】
【特許文献１】実公昭５３−１６２２号公報
【発明の概要】
【発明が解決しようとする課題】
【０００４】
上記従来の排気弁は、流入口から流入する流体中にゴミや鉄錆などの異物が混入していると、フロート受けに設けた通孔や弁座に異物が付着堆積して、通孔の詰まりや弁座から水が漏洩してしまうと言う問題点があった。
【０００５】
したがって本発明が解決しようとする課題は、流体中に異物を混入していても、通孔や弁座までそれらの異物が流下できないようにして、通孔の詰まりや弁座からの水の漏洩を防止できる排気弁を提供することである。
【課題を解決するための手段】
【０００６】
上記の課題を解決するために、本発明の排気弁は、ケーシングで下部に流入口が開口し上部に流出口が開口した弁室を形成し、弁室と流出口の間に弁座を形成し、弁室内壁の内側に突出したリブを形成し、リブの内側に有底のほぼ円筒形状で底部に小さな開口面積を有する通孔を設けたフロート受けを固定し、フロート受け内に球状のフロートを自由状態で配置したものにおいて、弁座の周囲と通孔の周囲に、流体中の異物を漉し取るスクリーンを取り付けたことを特徴とするものである。
【発明の効果】
【０００７】
本発明によれば、弁座の周囲と通孔の周囲に、流体中の異物を漉し取るスクリーンを取り付けたことにより、流入口から流入してくる流体中に異物が混入していてもこのスクリーンで異物を漉し取ることができ、異物が通孔や弁座まで達することがなく、通孔の詰まりや弁座からの水の漏洩を防止することができる。
【図面の簡単な説明】
【０００８】
【図１】本発明の実施の形態に係る排気弁の断面図である。
【発明を実施するための形態】
【０００９】
以下、本発明の実施の形態について、図１を参照して説明する。本体１に蓋２を図示しないボルトで締結して内部に弁室３を有するケーシングを形成する。本体１の下部に流入口４を形成し、蓋２の上部に流出口５を形成する。蓋２の弁室３内下端部にリング状の弁座６を取り付ける。
【００１０】
本体１は弁室３の内壁に内側に突出した複数のリブ９を一体に有し、リブ９の内側に有底のほぼ円筒形状で下側に凸状のフロート受け１０を取り付ける。フロート受け１０の底部は内外を連通する小さな開口面積の通孔１１を有する。フロート受け１０の内部に球形のフロート１２を自由状態で配置する。
【００１１】
弁座６の外周でフロート受け１０の上部に円筒状のスクリーン７を取り付ける。スクリーン７は、貫通した細孔１３を多数設けて、流入口４から流入する水と空気の混合流体中に混入している鉄錆やゴミ等の異物を漉し取り、異物の無くなった空気だけを流出口５へと排出することができるものである。
【００１２】
フロート受け１０の底部の通孔１１の外周にも略円錐形状のスクリーン１５取り付ける。スクリーン１５も図示はしないが貫通した細孔を多数設けることで、流入口４からの異物を漉し取り、通孔１１の異物による詰まりを防止することができるものである。
【００１３】
上記の排気弁の動作は下記の通りである。先ず配管に水を送り込むときにはフロート１２は弁座６から離座して降下した開弁状態である。これにより、流入口４から弁室３内に流入してくる配管内の空気を、リブ９の間の空間からフロート受け１０上端のスクリーン７を通して及びスクリーン１５と通孔１１からフロート受け１０内を通して流出口５に排気する。そして排気が終わって配管内の水が流入口４から弁室３内に流入してくると、リブ９の間の空間からフロート受け１０上端のスクリーン７を通して及びスクリーン１５と通孔１１を通してフロート受け１０内に流入する水によってフロート１２が浮上して弁座６に着座し閉弁する。これにより、水の漏出を防止する。
【００１４】
また、配管系の圧力が低下して真空状態となったときにはフロート１２が弁座６から離座して降下し開弁する。これにより、流出口５から弁室３内に流入してくる外部空気をフロート受け１０上端のスクリーン７からリブ９の間の空間を通して及びフロート受け１０内から通孔１１とスクリーン１５を通して流入口４から配管内に導入することにより真空状態を破壊する。
【産業上の利用可能性】
【００１５】
本発明は、配管に水を送り込むときに開弁して配管内の空気を排気し、排気が終われば閉弁し、また配管系の圧力が低下して真空状態となったときに開弁して外部空気を導入することにより真空状態を破壊する排気弁に利用することができる。
【符号の説明】
【００１６】
１  本体
２  蓋
３  弁室
４  流入口
５  流出口
６  弁座
７  スクリーン
９  リブ
１０  フロート受け
１１  通孔
１２  フロート
１５  スクリーン
【図１】
2012167803.tif 000003